(57)【特許請求の範囲】
【請求項１】
トッププレートと、前記トッププレートの鍋おき部に置かれた鍋を加熱するため磁界を発生する加熱コイルと、前記トッププレートに触れることにより設定を行うためのタッチキーと、前記タッチキーからの信号を入力し前記加熱コイルへ供給する電力を制御する制御部を備えるとともに、前記タッチキーは、高周波電圧を出力する発振部と、前記発振部の出力電圧を降下させる所定のインピーダンスを有する電圧降下部と、前記トッププレートに設けられ前記電圧降下部の出力電圧が印加される電極部と、前記電極部の端子電圧を検知する検知部とを備え、前記検知部は、前記電極部に印加した高周波電圧を整流し直流電圧に変換する整流部と、前記整流部の出力電圧を検知する直流電圧検知部とを備え、前記制御部は、前記直流電圧検知部の検知結果から前記トッププレートに触れてないときの前記整流部の出力電圧値と、前記トッププレートに触れたときの前記整流部の出力電圧値との差を演算し、前記整流部の出力電圧値の差が所定値以上あるとき前記トッププレートに触れたと判定し、前記整流部の出力電圧値の差が前記所定値より小さいとき前記トッププレートに触れていないと判定する電磁調理器。
【請求項２】
電圧降下部をコンデンサで構成し、前記検知部は、前記コンデンサと電極部との接続点に印加した電圧を入力する構成とした請求項１に記載の電磁調理器。
【請求項３】
検知部は、整流部の出力電圧のレベルを所定の電圧レベルに変換するレベルシフト部を備え、直流電圧検知部は、前記レベルシフト部の出力電圧の大きさを検知するとともに、前記レベルシフト部は、トッププレートに触れたときと触れないときの前記整流部の出力電圧値の絶対値を前記直流電圧検知部を動作させるのに適切な電圧レベルに設定して出力するようにし、かつ前記レベルシフト部の出力電圧における触れたときと触れないときの電圧差が前記レベルシフト部の入力する電圧の電圧差と同じ値になるよう保持するかそれより大きくなるよう構成した請求項１に記載の電磁調理器。
【請求項４】
出力電圧値の大なる第１の電源出力と出力電圧値の小なる第２の電源出力を有する電源部を有し、発振部に前記第１の電源出力を印加し、検知部に前記第２の電源出力を印加するよう構成した請求項１に記載の電磁調理器。
【請求項５】
複数の電極部と、前記複数の電極部のそれぞれの出力を入力する複数の検知部と、加熱コイルへ供給する電力を制御する制御部と、前記制御部に信号を出力する出力部とを有し、前記複数の検知部の出力を前記出力部に入力し、前記出力部は、少なくとも１個の出力端子から前記それぞれの電極入力に応じて異なった値の電圧値を前記制御部に出力するよう構成した請求項１に記載の電磁調理器。
【請求項６】
出力部は、少なくとも１個の出力端子からそれぞれの電極部入力に応じて異なったパルス列を制御部に出力するよう構成した請求項５に記載の電磁調理器。
【請求項７】
出力部は、少なくとも１個の出力端子からそれぞれの電極部入力に応じて異なった時間幅を持つパルスを制御部に出力するよう構成した請求５に記載の電磁調理器。
【請求項８】
電極部は、トッププレートに設けられた表電極に触れたことを検知すべく前記表電極に対向して前記トッププレートの裏面に設けられた第１の電極部と、前記第１の電極部から信号を取り出すとともに前記第１の電極部と発振部および検知部とを接続する接続端子と接触する前記トッププレートの裏面に形成された第２の電極部とで構成され、前記第１の電極部の面積が前記第２の電極部の面積より大きくなるように設定し、前記表電極に触れたときの前記信号の減衰度が前記第２の電極部に対向する前記トッププレートの表面を触れたときの前記信号の減衰度より大きくなるようにした請求項１に記載の電磁調理器。
【請求項９】
電極部は、第２の電極部に対向するトッププレート面上に導電帯を構成し、この導電帯をアース電位に設定した請求項８に記載の電磁調理器。
【請求項１０】
隣り合った電極部を備え、制御部は、整流部の出力電圧値の差を前記電極部について比較し、前記電圧値の差がもっとも大きい電極部に対応するトッププレート面上に触れたと判定する請求項１に記載の電磁調理器。
【請求項１１】
発振部の周波数を加熱コイルに供給される電流の駆動周波数又は共振周波数の２倍以上に設定した請求項１〜１０のいずれか１項に記載の電磁調理器。
【発明の詳細な説明】
【０００１】
【発明の属する技術分野】
本発明は、トッププレートに設けたタッチキーを用いた電磁調理器に関するものである。
【０００２】
【従来の技術】
従来、この種のタッチキーは例えば図１２、図１３に示すものが提案されている。図１２はタッチパネルの側面から見た図で、２８は表面電極、２６、２７は裏面電極、２５はパネル部である。図１３はタッチパネルの裏面から見た図で、裏面に設けた電極２６，２７は所定の間隔を置いて対向して設けた電極である。図１２で、表電極２８を指２４で触れていることを示している。２９は発振部で、電極部２６に接続され、電極部２６と電極部２８及びパネル部２５で構成するキャパシタ及び電極部２６と電極部２７及びパネル部２５で構成するキャパシタで、発振部２９の出力電圧は電極部２７に伝送される。また電極部２７は検知部３０に接続され、電極部２７の電圧は検知部３０で検知される。以上の構成で、電極部２８を指２４で触れたとき、発振部２９の出力電圧は電極部２６、電極部２８、パネル部２５で構成するキャパシタを通り指２４を経て、人体を通り大地にバイパスされ、電極部２７に現れる電圧は小さな電圧となる。この電圧を検知して、パネル部の電極２８に触れたと検知するものである。
【０００３】
【発明が解決しようとする課題】
しかしながらこのような構成のものでは、パネル部の裏面電極に２個の電極があり、この２個の電極部から各１本ずつの引き出し線が必要となり、複数のタッチキーを有する場合、多くの引き出し線が出て非常に複雑となる。また、パネル部から多くのリード線が出て、組立が困難であるという課題があった。
【０００４】
【課題を解決するための手段】
本発明は上記課題を解決するために、トッププレートと、前記トッププレートの鍋おき部に置かれた鍋を加熱するため磁界を発生する加熱コイルと、前記トッププレートに触れることにより設定を行うためのタッチキーと、前記タッチキーからの信号を入力し前記加熱コイルへ供給する電力を制御する制御部を備えるとともに、前記タッチキーは、高周波電圧を出力する発振部と、前記発振部の出力電圧を降下させる所定のインピーダンスを有する電圧降下部と、前記トッププレートに設けられ前記電圧降下部の出力電圧が印加される電極部と、前記電極部の端子電圧を検知する検知部とを備え、前記検知部は、前記電極部に印加した高周波電圧を整流し直流電圧に変換する整流部と、前記整流部の出力電圧を検知する直流電圧検知部とを備え、前記制御部は、前記直流電圧検知部の検知結果から前記トッププレートに触れてないときの前記整流部の出力電圧値と、前記トッププレートに触れたときの前記整流部の出力電圧値との差を演算し、前記整流部の出力電圧値の差が所定値以上あるとき前記トッププレートに触れたと判定し、前記整流部の出力電圧値の差が前記所定値より小さいとき前記トッププレートに触れていないと判定する電磁調理器とするものである。
【０００５】
【発明の実施の形態】
請求項１に記載の発明は、トッププレートと、前記トッププレートの鍋おき部に置かれた鍋を加熱するため磁界を発生する加熱コイルと、前記トッププレートに触れることにより設定を行うためのタッチキーと、前記タッチキーからの信号を入力し前記加熱コイルへ供給する電力を制御する制御部を備えるとともに、前記タッチキーは、高周波電圧を出力する発振部と、前記発振部の出力電圧を降下させる所定のインピーダンスを有する電圧降下部と、前記トッププレートに設けられ前記電圧降下部の出力電圧が印加される電極部と、前記電極部の端子電圧を検知する検知部とを備え、前記検知部は、前記電極部に印加した高周波電圧を整流し直流電圧に変換する整流部と、前記整流部の出力電圧を検知する直流電圧検知部とを備え、前記制御部は、前記直流電圧検知部の検知結果から前記トッププレートに触れてないときの前記整流部の出力電圧値と、前記トッププレートに触れたときの前記整流部の出力電圧値との差を演算し、前記整流部の出力電圧値の差が所定値以上あるとき前記トッププレートに触れたと判定し、前記整流部の出力電圧値の差が前記所定値より小さいとき前記トッププレートに触れていないと判定する電磁調理器としたから、電極部に高周波電圧を印加する端子と電極部の端子電圧を検知する端子とを兼ねることができ、スペース上の制約が少なく、信頼性も高くなるものである。また、タッチキーを電磁調理器に用いたから、天面のトッププレートに操作キーを配置でき、操作キーに触れるだけで各種の設定ができ、非常に使いやすいものである。また、検知部は電極部に印加した高周波電圧を整流し直流電圧に変換する整流部と、この整流部の出力電圧を検知する直流電圧検知部とを備え、制御部は、直流電圧検知部の検知結果からトッププレートに触れてないときの整流部の出力電圧値と、トッププレートに触れたときの整流部の出力電圧値との差を演算し、整流部の出力電圧値の差が所定値以上あるときトッププレートに触れたと判定し、整流部の出力電圧値の差が所定値より小さいときトッププレートに触れていないと判定する構成としたから、信号処理が容易で耐ノイズ性に優れたものである。
【０００６】
請求項２に記載の発明は、電圧降下部をコンデンサで構成し、前記検知部は、前記コンデンサと電極部との接続点に印加した電圧を入力する構成としたから、トッププレートに触れたときと触れてないときとの電極部の電圧変化を大きくすることができ、検知感度を上げることができるものである。
【０００８】
請求項３に記載の発明は、検知部は、特に、整流部の出力電圧のレベルを所定の電圧レベルに変換するレベルシフト部を備え、直流電圧検知部は、このレベルシフト部の出力電圧を直流電圧検知部に入力し、直流電圧検知部でトッププレートに触れたか判定するよう構成し、前記レベルシフト部は、トッププレートに触れたときと触れないときのレベルシフト部の出力電圧における電圧差がレベルシフト部の入力時の電圧差と同じ値になるよう保持するかそれより大きくなるようにし、かつトッププレートに触れたときの整流部の出力電圧値と触れないときの整流部の出力電圧値の絶対値を直流電圧検知部を動作させるのに適切な電圧レベルに設定して出力するよう構成したから、検知感度を落とすことなく、低電圧で動作する直流電圧検知部に入力することができ、確実な動作をさせることができる。
【０００９】
請求項４に記載の発明は、特に、出力電圧値の大なる第１の電源出力と出力電圧値の小なる第２の電源出力を有する電源部を有し、発振部に第１の電源出力を印加し、検知部に第２の電源出力を印加するよう構成したから、大きな電圧振幅の発振電圧を得ることができ、入力受付時の検知感度を高くかつ耐ノイズ性に優れたものにすることができるとともに、低電圧電源で動作するマイクロコンピュータなどで構成して信号処理が容易な検知部を構成することができるものである。
【００１０】
請求項５に記載の発明は、複数の電極部と、この複数の電極部のそれぞれの出力を入力する複数の検知部と、加熱コイルへ供給する電力を制御する制御部と、この制御部に信号を出力する出力部とを有し、前記複数の検知部の出力を前記出力部に入力し、前記出力部は１個の出力端子から前記それぞれの電極入力に応じて異なった値の電圧値を前記制御部に出力するよう構成したから、１本の出力端子で複数の検知信号を送ることができ、信号線の数を減じて、信頼性が高くスペースも小さくすることができるものである。
【００１１】
請求項６に記載の発明は、特に、出力部は１個の出力端子から前記それぞれの電極入力に応じて異なったパルス列を前記制御部に出力するよう構成したから、１本の出力端子で複数の検知信号を送ることができ、信号線の数を減じて、信頼性が高くスペースも小さくすることができるものである。
【００１２】
請求項７に記載の発明は、特に、出力部は１個の出力端子から前記それぞれの電極入力に応じて異なった時間幅を持つパルスを前記制御部に出力するよう構成したから、１本の出力端子で複数の検知信号を送ることができ、信号線の数を減じて、信頼性が高くスペースも小さくすることができるものである。
【００１３】
請求項８に記載の発明は、特に、電極部は、トッププレートに設けられた表電極に触れたことを検知すべく前記表電極に対向して前記トッププレートの裏面に設けられた第１の電極部と、前記第１の電極部から信号を取り出すとともに前記第１の電極部と発振部および検知部とを接続する接続端子と接触する前記トッププレートの裏面に形成された第２の電極部とで構成され、前記第１の電極部の面積が前記第２の電極部の面積より大きくなるように設定し、前記表電極部に触れたときの前記信号の減衰度が前記第２の電極部に対向する前記トッププレートの表面を触れたときの前記信号の減衰度より大きくなるようにしたから、信号取り出し電極である第２の電極部に対向するトッププレートに触れても誤動作しない信頼性の高いものである。また、この構成でトッププレート裏面に設けた第２の電極部に接触する接続端子は、信号を第２の電極部に入力する端子と、信号を出力する端子を１本で兼ねることができ、各キーを構成する第１の電極部から１本づつ引出し線を出すことができるものであり、少ない引出し線、少ない接触端子ですみ、大きなスペースが不要となり、また信頼性も高く、組み立ても容易となるものである。
【００１４】
請求項９に記載の発明は、特に、電極部は、第２の電極部に対向するトッププレート面上に導電帯を構成し、この導電帯をアース電位に設定したから、信号取り出し電極である第２の電極部に対向するトッププレート面上に触れても誤動作のない信頼性の高いものである。
【００１６】
請求項１０に記載の発明は、隣り合った電極部を備え、直流電圧検知部は、複数の整流部からの入力電圧の変化分をそれぞれ演算し、制御部は、電極部についてその変化分を比較し、変化分がもっとも大きい電極部に対応するトッププレート面上に触れたと判定するようにしたから、誤動作のない信頼性の高いものである。
【００１８】
請求項１１に記載の発明は、発振部の周波数を電磁調理器の加熱周波数の２倍以上に設定したから、電磁調理器の周波数に影響されない、信頼性の高いものである。
【００１９】
【実施例】
以下、本発明の実施例について図面を用いて説明する。なお、従来例と同じものは同じ記号を用いて説明を省略する。
【００２０】
（実施例１）
本実施例について図１，図２を用いて説明する。１は高周波電圧を発生する発振部で、この発振部の出力電圧を２の電圧降下部を経て、パネル部８に設けた電極部３に印加するとともに検知部４に印加する。
【００２１】
電極部３は、パネル部８の表、裏に導電性部材を印刷する等の方法で構成するもので、例えば、図２では裏電極６と表電極７をパネル部８に構成し、表電極７に指２４で触れるものである。
【００２２】
電源部５は出力電圧が大なる（この場合２０ＶＤＣ）第１の電源出力Ａと電源出力が小なる第２の電源出力Ｂ（この場合５ＶＤＣ）を出力している。第１の電源出力Ａは発振部１に印加され、第２の電源出力Ｂは検知部４に印加される。
【００２３】
電極部３の表電極７に触れてないとき、電圧降下部２を経て検知部４に印加された電圧は、電圧降下部２のインピーダンスと検知部４の入力インピーダンスの分圧電圧となる。また、電極７に指２４で触れたとき、電圧降下部２の出力電圧は、電圧降下部２を経て、電極部３の裏電極６，表電極７で構成するコンデンサＣ２を経て指２４にバイパスされ、検知部４に入力される高周波電圧は小さくなる。従って、指で触れてないときと触れたときとの電圧を検知部４で検知して、指で触れたことを検知するものである。
【００２４】
また、発振部１に出力電圧の大きな第１の電源出力を印加し、検知部４に出力電圧の小なる第２の電源出力を印加するので、大きな電圧振幅の発振電圧を得ることができ、入力受付時の検知感度を高くかつ耐ノイズ性に優れたものにすることができるとともに、低電圧電源で動作するマイクロコンピュータなどで構成して信号処理が容易な検知部４を構成することができるものである。
【００２５】
（実施例２）
図２において、この電圧降下部をコンデンサＣ１で構成することにより、発振部１の高周波出力電圧を効率よく電極部６と検知部４に印加することができ、電極部６と電極部７で構成した電極部３がコンデンサＣ２で構成されているため、検知部４への入力電圧は指で触れたときとふれてないときとの電圧差を大きくすることができ、効率よく検出できるものである。
【００２６】
（実施例３）
本発明の第３の実施例を図３にブロック図で示す。図３で検知部４を、入力高周波電圧を直流電圧に変換する整流部９，整流部９の直流出力電圧の大きさを検知する直流電圧検知部１０で構成した例を示す。電極部３にふれてないとき、大きい振幅を持つ高周波電圧を高い直流電圧に変換し、電極部３にふれたとき高周波電圧は低くなるので、低い直流電圧を得て、この直流電圧の大小を直流電圧検知部１０で検知して、触れたかどうか検知するものである。
【００２７】
（実施例４）
図４は本発明の第４の実施例におけるタッチキーの回路ブロック図を示すものである。本実施例では、検知部４を入力された高周波電圧を直流電圧に変換する整流部１１と整流部１１の出力の直流電圧を直流電圧検知部１３を動作させるのに最も適切な電圧レベルに設定するレベルシフト部１２と、前記直流電圧検知部１３で構成した例を示す。
【００２８】
直流電圧検知部１３は通常マイクロコンピュータ（以下マイコン）等のＩＣで構成するため入力電圧はマイコン等のＩＣの電源電圧を超えてはならず、限定されるものであり、入力電圧が大きいときマイコン入力に適合するように抵抗器等で減衰させると、電極に触れないときと触れたときとの電圧差も小さくなって検出感度は落ちるため、このレベルシフト部を用いるものである。
【００２９】
図５に、触れないときと触れたときの電圧を、（１）にレベルシフト部１２への入力電圧、（２）に出力電圧を示す。図で触れないときの電圧Ｖ１はレベルシフト部１２を通してＶ３にシフトし、触れたときの電圧Ｖ２はレベルシフト部を通してＶ４になっている。レベルシフト部１２の出力電圧のＶ３とＶ４の差のΔＶは、入力電圧のＶ１とＶ２の差のΔＶと等しくあるいは以上になるよう構成することにより、確実な検出が行えるようにしている。
【００３０】
（実施例５）
図６，図７に本発明の第５の実施例について示す。１６はヒータあるいは電磁調理器であれば加熱コイル等の負荷で、１５はこの負荷部へ供給する電力を制御する制御部である。機器のパネル部に設けた複数のキーからの信号を制御部に入力することによって、各キーのどのキーに触れたかによって所定の動作をさせるものである。各キーを構成するのは電極部で、図６ではキーはＮ個、すなわち電極部はＮ個あることを示している。電極部３（１）の信号は検知部４（１）へ入力される。電極部３（２）からの信号は検知部４（２）へ入力される。各検知部３（１）〜３（Ｎ）の信号は出力部１４に入力され、出力部１４より１本の線で制御部１５に出力される。
【００３１】
出力部１４からの出力信号は図７に示すように各電極部３（１）〜３（Ｎ）に触れることによって、異なる電圧Ｖ１〜ＶＮの電圧を出力するように構成する。電圧Ｖ０は、どの電極にも触れないときの電圧または複数の電極に同時に触れたときの電圧になるよう設定する。従って、複数の電極に同時に触れたときには、触れてないときと同じく信号を受け付けないものである。制御部１５は出力部１４から送られてくる電圧レベルをみて、どのキーに触れたか識別し、そのキーに応じた動作を負荷部１６にさせるものである。
【００３２】
なお、本実施例では、各検知部３（１）〜３（Ｎ）の信号は出力部１４に入力され、出力部１４より１本の線で制御部１５に出力される構成としたが、出力部１４から制御部１５に出力される線の数は１本に限らず複数でも良く、上記構成とすることにより、出力部１４から制御部１５への出力線数を検知部の数（Ｎ）より減じることができるという作用がある。（以下の実施例６、７においても同様である。）
（実施例６）
図８に第６の実施例を示す。この場合、出力部１４からの出力信号は各電極部に対応して異なったパルス列を出力して、どのキーに触れたか識別するものである。
【００３３】
例えば（１）ではハイレベルを１，ローレベルを０とすると、１０１０１０１，（２）では１００１０１０，（３）では１０１００１０となり１本の線でどのキーに触れたか識別できるものである。
【００３４】
（実施例７）
図９に第７の実施例を示す。この場合、出力部１４からの出力電圧は各キーのどの電極に触れたかによって、パルス幅ｔの時間が変わるようにして、出力部１４から１本の線で制御部１５へ伝送するものである。例えば（１）ではｔ１の時間幅を有したパルス幅であるので、３（１）の電極部に触れたと識別し、（２）ではｔ２の時間幅を有したパルス幅であるので３（２）の電極部に触れたと識別するものである。
【００３５】
（実施例８）
図１０に第８の実施例を示す。１７はパネル部２５に設けた裏電極、１９は表電極である。図１０の（１）は側面図、（２）はパネル部２５を裏から見た裏電極１７の平面図である。タッチパネルを電磁調理器に使用した場合、図１４に示すように指で触れる電極部２８（１）〜２８（６）はパネル部２５の端の方に偏る場合が多い。すなわち、パネル部２５の鍋おき部３１，３２は鍋が加熱されあつくなるため、指で触れる部分は鍋おき部３１，３２から離れた位置で、かつ人が触れやすい場所となり従って、図１５に示すように、人が触れる表電極１９に対する裏電極１７も当然電磁調理器の端となり、この裏電極１７の下にはスペースがなく、発振部および検知部２２との接続端子２１が配置できなくなる。
【００３６】
従って、裏電極１７をのばし発振部および検知部２２との接続端子２１との接触用電極１８を必要とする。接触用電極１８はパネル部２５を設置するときに位置ずれを考慮してある面積を必要とする。この接触用電極１８に対向するパネル部２５の表面を触れたときも、接触用電極１８と指２４でバイパス路が形成され、信号が減衰し表電極１９を触れたと誤認識する。これを防止するため、表電極１９の対向電極である裏電極１７の面積Ｓ１を接触用電極１８の面積Ｓ２より大きくし、表電極１９に触れた減衰度を接触用電極１８に対向するパネル部２５の表面を触れたときの減衰度より大きくしてパネル部２５を触れたときの誤動作を防止するものである。
【００３７】
（実施例９）
図１１に第９の実施例を示す。パネル部２５上に接触用電極１８の対向面に導電帯２３をもうけ、これをアース電位に設定するものである。こうすることで接触用電極１８の対向パネル部に指で触れても誤動作のないタッチパネルを提供することができるものである。
【００３８】
（実施例１０）
図１６に第１０の実施例を示す。例えば図１７に示すように、３個の電極Ａ、Ｂ、Ｃが隣り合って配置されているとする。このとき、電極部Ａを指で触れたとき、図１６（１）で示すように、時刻ｔに電極Ａに触れたとすると、直流電圧検知部１３に入力される電圧変化分はΔＶ１である。また、電極Ａの隣の電極ＢおよびＢの隣の電極Ｃには図１６（２）、（３）に示すようにΔＶ２、ΔＶ３の電圧差がでる。
【００３９】
しかし、このΔＶ２，ΔＶ３は電極Ｂ、Ｃの容量変化によって生ずるものであるが、電極Ａの容量変化が電極Ｂ、Ｃの容量変化より大きいため、ΔＶ１より小さくなる。従って、この電圧変化分ΔＶ１よりも小さな値でかつΔＶ２、ΔＶ３より大きな値の所定の基準値を設けておき、この基準値以上の電圧変化があったとき、その電極を指で触れたと認識し、基準値より小さい電圧変化の時は電極に触れてないと認識して、どの電極に触れたかを識別するものである。
【００４０】
（実施例１１）
本実施例では図１６、図１７において、電圧差ΔＶ１、ΔＶ２、ΔＶ３の大きさを比較して、最も大きい変化があった電極部を触れたと認識するものである。
【００４１】
（実施例１２）
図１４、図１５に示すようにタッチキーを電磁調理器に用いた場合、電磁調理器のトッププレートなどのフラットパネル部２５にタッチキーを設けることができ、パネル部２５からの引き出し線が少なく、またはパネル部２５の接触用電極１８に接触する接触ピン２１の数をすくなくすることができ、信頼性が高く組み立てやすいものである。さらに発振部の周波数を電磁調理器の加熱コイル３３に供給される電流の駆動周波数又は共振周波数の２倍以上に設定することにより、加熱コイル３３から発生する磁界に影響されない安定した動作のタッチキーを得ることができるものである。
【００４２】
【発明の効果】
以上のように本発明の請求項１〜１１に記載の発明によれば、検知感度が高く耐ノイズ性に優れた、操作性のよい、安定した動作のタッチキーを用いた電磁調理器を提供することができる。
【図面の簡単な説明】
【図１】  本発明の実施例１における電磁調理器のタッチキーのブロック図
【図２】  本発明の実施例２における電磁調理器のタッチキーのブロック図
【図３】  本発明の実施例３における電磁調理器のタッチキーのブロック図
【図４】  本発明の実施例４における電磁調理器のタッチキーのブロック図
【図５】  （１）本発明の実施例４におけるレベルシフト部への入力電圧波形図
（２）同、レベルシフト部への出力電圧波形図
【図６】  本発明の実施例５の電磁調理器のタッチキーにおけるブロック図
【図７】  本発明の実施例５の電磁調理器のタッチキーにおける出力部出力電圧波形図
【図８】  本発明の実施例６の電磁調理器のタッチキーにおける出力部電圧波形図であり、ハイレベルを１，ロ−レベルを０とすると
（１）では１０１０１０１を示す信号波形図
（２）では１００１０１０を示す信号波形図
（３）では１０１００１０を示す信号波形図
【図９】  本発明の実施例７の電磁調理器のタッチキーにおける出力部電圧波形図
【図１０】  （１）本発明の実施例８の電磁調理器のタッチキーの側面図
（２）同、タッチキーにおける裏面電極の平面図
【図１１】  本発明の実施例９の電磁調理器のタッチキーの側面図
【図１２】  従来のタッチキーにおけるブロック図
【図１３】  従来のタッチキーにおけるパネル裏面電極の平面図
【図１４】  本発明の実施例１２における電磁調理器のパネル平面図
【図１５】  本発明の実施例１２における電磁調理器の部分断面図
【図１６】  本発明の実施例１０、１１の電磁調理器のタッチキーの電圧波形図
【図１７】  本発明の実施例１０、１１の電磁調理器のタッチキーの表面電極配置図
【符号の説明】
１  発振部
２  電圧降下部
３、６，７，１７，１８，１９  電極部
４  検知部
８  パネル部
５  電源部
９，１１  整流部
１０，１３  直流電圧検知部
１２  レベルシフト部
１４  出力部
１５  制御部
１６  負荷部
２３  導電帯
２５  電磁調理器のパネル部
【図１】
0003807315.tif 000002
【図２】
0003807315.tif 000003
【図３】
0003807315.tif 000004
【図４】
0003807315.tif 000005
【図５】
0003807315.tif 000006
【図７】
0003807315.tif 000007
【図８】
0003807315.tif 000008
【図９】
0003807315.tif 000009
【図１２】
0003807315.tif 000010
【図１３】
0003807315.tif 000011
【図１４】
0003807315.tif 000012
【図１６】
0003807315.tif 000013
【図６】
0003807315.tif 000014
【図１０】
0003807315.tif 000015
【図１１】
0003807315.tif 000016
【図１５】
0003807315.tif 000017
【図１７】
0003807315.tif 000018